(57)【要約】【課題】光ディスクに対するデータの記録において、再生専用装置におけるプレイアビリティを確保しつつ、空間的あるいは時間的な記録効率の向上を図る。【解決手段】ユーザデータが記録されるユーザデータエリアＡ３と、このユーザデータエリアＡ３の内周側に設けられる再生用制御データエリアＡ２と、ユーザデータエリアＡ３の外周側に設けられる外周ガードゾーンＡ４との組み合わせを一記録の単位として、光ディスクＤにデータを記録する。このとき、光ディスクＤのトラックピッチＴＰを０．３μｍ以上かつ０．４μｍ以下とし、光ディスクＤの半径方向について、外周ガードゾーンＡ４の幅を（１００×ＴＰ）以上かつ（１２５×ＴＰ）以下とする。【選択図】図３
2005346818.tif 000002
【特許請求の範囲】
【請求項１】
ユーザデータが記録されるユーザデータエリアと、当該ユーザデータエリアの内周側に設けられる再生用制御データエリアと、前記ユーザデータエリアの外周側に設けられる外周ガードゾーンとの組み合わせを一記録の単位として、光ディスクにデータを記録する光ディスク記録方法であって、
前記光ディスクのトラックピッチＴＰは、０．３μｍ以上かつ０．４μｍ以下であり、
前記光ディスクの半径方向について、前記外周ガードゾーンの幅は、（１００×ＴＰ）以上かつ（１２５×ＴＰ）以下であることを特徴とする光ディスク記録方法。
【請求項２】
請求項１に記載の光ディスク記録方法であって、
前記光ディスクの半径方向について、前記再生用制御データエリアの幅は、（５０×ＴＰ）以上かつ（１２５×ＴＰ）以下であることを特徴とする光ディスク記録方法。
【請求項３】
請求項１または２に記載の光ディスク記録方法であって、
最内周に記録される前記一記録の単位の内周側には、内周ガードゾーンが設けられ、
前記光ディスクの半径方向について、前記内周ガードゾーンの幅は、（１００×ＴＰ）以上かつ（１２５×ＴＰ）以下であることを特徴とする光ディスク記録方法。
【請求項４】
請求項１〜３のいずれか１項に記載の光ディスク記録方法であって、
前記光ディスクの半径方向について、前記ユーザデータエリアの幅は、記録されるユーザデータのデータ量に関わらず、所定の最小記録幅以上とされ、
当該最小記録幅は、４２０μｍ以上かつ１０５０μｍ以下であることを特徴とする光ディスク記録方法。
【請求項５】
請求項１〜４のいずれか１項に記載の光ディスク記録方法を含む光ディスク記録再生方法であって、
前記光ディスクは、データが記録される記録層の表面に保護層が積層されてなり、
前記保護層の表面における再生ビームスポットの直径は、略１ｍｍであることを特徴とする光ディスク記録再生方法。
【請求項６】
ユーザデータが記録されるユーザデータエリアと、当該ユーザデータエリアの内周側に設けられる再生用制御データエリアと、前記ユーザデータエリアの外周側に設けられる外周ガードゾーンとの組み合わせを一記録の単位として、光ディスクにデータを記録する光ディスク記録装置であって、
前記光ディスクのトラックピッチＴＰは、０．３μｍ以上かつ０．４μｍ以下であり、
前記光ディスクの半径方向について、前記外周ガードゾーンの幅は、（１００×ＴＰ）以上かつ（１２５×ＴＰ）以下であることを特徴とする光ディスク記録装置。
【請求項７】
請求項６に記載の光ディスク記録装置であって、
前記光ディスクの半径方向について、前記再生用制御データエリアの幅は、（５０×ＴＰ）以上かつ（１２５×ＴＰ）以下であることを特徴とする光ディスク記録装置。
【請求項８】
請求項６または７に記載の光ディスク記録装置であって、
最内周に記録される前記一記録の単位の内周側には、内周ガードゾーンが設けられ、
前記光ディスクの半径方向について、前記内周ガードゾーンの幅は、（１００×ＴＰ）以上かつ（１２５×ＴＰ）以下であることを特徴とする光ディスク記録装置。
【請求項９】
請求項６〜８のいずれか１項に記載の光ディスク記録装置であって、
前記光ディスクの半径方向について、前記ユーザデータエリアの幅は、記録されるユーザデータのデータ量に関わらず、所定の最小記録幅以上とされ、
当該最小記録幅は、４２０μｍ以上かつ１０５０μｍ以下であることを特徴とする光ディスク記録装置。
【請求項１０】
請求項６〜９のいずれか１項に記載の光ディスク記録装置を含む光ディスク記録再生装置であって、
前記光ディスクは、データが記録される記録層の表面に保護層が積層されてなり、
前記保護層の表面における再生ビームスポットの直径は、略１ｍｍであることを特徴とする光ディスク記録再生装置。
【発明の詳細な説明】
【技術分野】
【０００１】
本発明は、記録可能な光ディスクにデータを記録する光ディスク記録方法および光ディスク記録装置に関する。
【背景技術】
【０００２】
近年、ＣＤ−Ｒ、ＣＤ＋Ｒ、ＤＶＤ−Ｒ、ＤＶＤ＋Ｒ、ＤＶＤ−ＲＡＭ、ＤＶＤ−ＲＷ、ＤＶＤ＋ＲＷなど、記録可能な光ディスクが普及している。これらの光ディスクには、未記録状態でも正確なトラッキングが行えるように、あらかじめグルーブと呼ばれる案内溝が形成されている。また、所望の位置へのデータの書き込みを可能にすべく、グルーブ・ウォブルやランド・プリピットなどにより、あらかじめアドレス情報が埋め込まれている。
【０００３】
しかし、一般に、再生専用装置は、ピット列しか追従（トレース）することができないため、未記録領域においてはトラックをトレースすることができない。また、グルーブ・ウォブルなどによるアドレス情報を認識することができないため、未記録領域においてはアドレスを把握することができない。このため、再生専用装置による再生を可能にするためには、すなわち再生専用装置でのプレイアビリティを確保するためには、光ディスクの記録済み領域は、ある程度の幅を持つことが必要となる。
【０００４】
そこで、従来から、一回の記録につき、そのデータ量に関わらず、所定幅以上を記録済みにすることとしている。例えば、記録すべきデータ量が少ない場合には、パディングデータによって所定幅を埋めることとしている。
【０００５】
また、ユーザデータが記録されるユーザデータエリアの外周側には、光ピックアップのオーバーラン防止等のため、ガードゾーンが設けられる。ユーザデータエリアの内周側には、当該ユーザデータエリアの再生時に必要な情報が記録される再生用制御データエリアが設けられる。
【０００６】
図７に、ＤＶＤ−Ｒにおけるデータレイアウトを示す。図７に示されるとおり、光ディスクの最内周には、データ記録時に使用されるコントロールデータエリアＡ０´が設けられている。このコントロールデータエリアＡ０´の外周側には、オーバーラン防止等のため、内周ガードゾーンＡ１´が設けられる。この内周ガードゾーンＡ１´の外周側には、再生用制御データエリアＡ２´と外周ガードゾーンＡ４´とにユーザデータエリアＡ３´が挟まれてなる一記録の単位が、順次に記録されていく。ここで、光ディスクの半径方向について、再生用制御データエリアＡ２´の幅は約２４０μｍ（トラック約３２４本）であり、外周ガードゾーンＡ４´の幅は約５００μｍ（トラック約６７６本）である。また、ユーザデータエリアＡ３´の幅は、約１６５０μｍ（最小記録幅、トラック約２２３０本）以上である。
【０００７】
なお、このような光ディスクのフォーマットは、規格により定められている。また、特許文献１には、ＣＤ−Ｒのデータレイアウトが示されている。
【０００８】
【特許文献１】特開２００１−２６６４９５号公報
【発明の開示】
【発明が解決しようとする課題】
【０００９】
上記の再生用制御データエリアや外周ガードゾーン、あるいは最小記録幅を埋めるためのパディングデータは、光ディスクの記録可能領域を消費するともに、データ書き込み時間を増大させる。具体的には、ＤＶＤ−Ｒでは、トラック１本分のユーザデータを記録する場合であっても、約３２３０本のトラックが消費されることとなる。そして、トラック約３２３０本分のデータ書き込み時間がかかることとなる。
【００１０】
そこで、本発明は、再生専用装置でのプレイアビリティを確保しつつ、空間的あるいは時間的な記録効率の向上を図ることができる光ディスク記録方法および光ディスク記録装置を提供する。
【課題を解決するための手段】
【００１１】
本発明に係る光ディスク記録方法は、ユーザデータが記録されるユーザデータエリアと、当該ユーザデータエリアの内周側に設けられる再生用制御データエリアと、前記ユーザデータエリアの外周側に設けられる外周ガードゾーンとの組み合わせを一記録の単位として、光ディスクにデータを記録する光ディスク記録方法であって、前記光ディスクのトラックピッチＴＰは、０．３μｍ以上かつ０．４μｍ以下であり、前記光ディスクの半径方向について、前記外周ガードゾーンの幅は、（１００×ＴＰ）以上かつ（１２５×ＴＰ）以下であることを特徴とする。
【００１２】
本発明では、前記光ディスクの半径方向について、前記再生用制御データエリアの幅は、（５０×ＴＰ）以上かつ（１２５×ＴＰ）以下であることが好ましい。
【００１３】
また、最内周に記録される前記一記録の単位の内周側には、内周ガードゾーンが設けられ、前記光ディスクの半径方向について、前記内周ガードゾーンの幅は、（１００×ＴＰ）以上かつ（１２５×ＴＰ）以下であることが好ましい。
【００１４】
また、前記光ディスクの半径方向について、前記ユーザデータエリアの幅は、記録されるユーザデータのデータ量に関わらず、所定の最小記録幅以上とされ、当該最小記録幅は、４２０μｍ以上かつ１０５０μｍ以下であることが好ましい。
【００１５】
本発明に係る光ディスク記録再生方法は、上記の光ディスク記録方法を含み、前記光ディスクは、データが記録される記録層の表面に保護層が積層されてなり、前記保護層の表面における再生ビームスポットの直径は、略１ｍｍであることを特徴とする。
【００１６】
本発明に係る光ディスク記録装置は、ユーザデータが記録されるユーザデータエリアと、当該ユーザデータエリアの内周側に設けられる再生用制御データエリアと、前記ユーザデータエリアの外周側に設けられる外周ガードゾーンとの組み合わせを一記録の単位として、光ディスクにデータを記録する光ディスク記録装置であって、前記光ディスクのトラックピッチＴＰは、０．３μｍ以上かつ０．４μｍ以下であり、前記光ディスクの半径方向について、前記外周ガードゾーンの幅は、（１００×ＴＰ）以上かつ（１２５×ＴＰ）以下であることを特徴とする。
【００１７】
本発明では、前記光ディスクの半径方向について、前記再生用制御データエリアの幅は、（５０×ＴＰ）以上かつ（１２５×ＴＰ）以下であることが好ましい。
【００１８】
また、最内周に記録される前記一記録の単位の内周側には、内周ガードゾーンが設けられ、前記光ディスクの半径方向について、前記内周ガードゾーンの幅は、（１００×ＴＰ）以上かつ（１２５×ＴＰ）以下であることが好ましい。
【００１９】
また、前記光ディスクの半径方向について、前記ユーザデータエリアの幅は、記録されるユーザデータのデータ量に関わらず、所定の最小記録幅以上とされ、当該最小記録幅は、４２０μｍ以上かつ１０５０μｍ以下であることが好ましい。
【００２０】
本発明に係る光ディスク記録再生装置は、上記の光ディスク記録装置を含み、前記光ディスクは、データが記録される記録層の表面に保護層が積層されてなり、前記保護層の表面における再生ビームスポットの直径は、略１ｍｍであることを特徴とする。
【発明の効果】
【００２１】
本発明では、光ディスクのトラックピッチＴＰを０．３μｍ以上かつ０．４μｍ以下とし、外周ガードゾーンの幅を（１００×ＴＰ）以上かつ（１２５×ＴＰ）以下とする。このため、光ピックアップのオーバーラン防止等に必要なトラック数を確保しつつ、光ディスクの記録可能領域全体に対する外周ガードゾーンの割合を低減させることができる。この結果、再生専用装置でのプレイアビリティを確保しつつ、空間的あるいは時間的な記録効率の向上を図ることができる。
【発明を実施するための最良の形態】
【００２２】
以下、本発明の実施の形態を図面に従って説明する。図１は、本実施の形態における光ディスクＤの層構成を示す断面図である。図２は、本実施の形態における光ディスクＤの記録層Ｄｂ表面を拡大して示す斜視図である。図３は、本実施の形態における光ディスクＤのデータレイアウトを示す図である。図４は、本実施の形態に係る光ディスク記録再生装置１００の構成を示すブロック図である。
【００２３】
本実施の形態に係る光ディスク記録再生装置１００は、ＤＶＤ−Ｒ等の既に規格化されたフォーマットに従って記録再生を行うものではなく、新たに定義されるフォーマットに従って記録再生を行うものである。ただし、光ディスクＤや光ディスク記録再生装置１００の基本的な構成は、現行のＤＶＤ−Ｒ等と多くの部分で共通する。そこで、まず光ディスクＤや光ディスク記録再生装置１００の基本的な構成について説明した後に、本実施の形態に特徴的な事項について説明することとする。
【００２４】
まず、図１、２に従って、本実施の形態における光ディスクＤについて説明する。図１に示されるとおり、光ディスクＤは、円盤状（ここでは、直径１２０ｍｍ、厚さ１．２ｍｍ）のディスク基板Ｄａ上に、記録層Ｄｂと保護層（カバー層ともいう）Ｄｃとが積層されてなる。なお、光ディスクＤは、好適には追記型であるが、書き換え型であってもよい。
【００２５】
図２に示されるとおり、光ディスクＤの記録層Ｄｂには、光ディスクＤの円周方向に沿って、スパイラル状または同心円状に、案内溝である溝部（グルーブ）Ｇが形成されており、グルーブＧ間には山部（ランド）Ｌが形成されている。本実施の形態では、グルーブＧにデータを記録する。ただし、グルーブＧおよびランドＬの両方にデータを記録することも可能である。図２に示されるとおり、グルーブＧはウォブリング（蛇行）されており、このウォブリングによって光ディスクＤの未記録領域に対するデータの書き込みが可能となっている。具体的には、ウォブリングから得られるウォブル信号によって、アドレス情報や回転速度情報の取得が可能となっている。ただし、アドレス情報は、ランド・プリピット（ＬＰＰ）など、他の態様で埋め込まれていてもよい。
【００２６】
光ディスクＤの半径方向について、記録トラックの間隔は、トラックピッチと呼ばれる。本実施の形態では、図２に示されるとおり、互いに隣接するグルーブトラック間の間隔が、トラックピッチＴＰとなる。
【００２７】
次に、図３に従って、本実施の形態における光ディスクＤのデータレイアウトについて説明する。図３において、光ディスクＤの最内周には、コントロールデータエリアＡ０が設けられている。このコントロールデータエリアＡ０は、記録時に使用される領域である。具体的には、コントロールデータエリアＡ０には、記録時に使用されるユーザデータ制御情報が記録される。なお、コントロールデータエリアＡ０の更に内周側には、試し書きを行うためのテストエリアなどが設けられてもよい。
【００２８】
コントロールデータエリアＡ０の外周側は、記録可能領域となっており、一または複数のユーザデータエリアＡ３が順次に形成される。このユーザデータエリアＡ３は、ユーザデータが書き込まれる領域である。各ユーザデータエリアＡ３の内周側には再生用制御データエリアＡ２が形成される。また、各ユーザデータエリアＡ３の外周側には外周ガードゾーンＡ４が形成される。再生用制御データエリアＡ２と、ユーザデータエリアＡ３と、外周ガードゾーンＡ４との組み合わせが、一記録の単位として扱われる。なお、最内周に記録される一記録の単位の内周側には、すなわち最内周の再生用制御データエリアＡ２の内周側には、内周ガードゾーンＡ１が形成される。
【００２９】
再生用制御データエリアＡ２には、対応するユーザデータエリアＡ３の再生時に使用されるユーザデータ制御情報が記録される。内周ガードゾーンＡ１および外周ガードゾーンＡ４は、パディングデータ等からなるガードバンドである。これらのガードゾーンＡ１、Ａ４は、光ピックアップのオーバーランを防止するための緩衝領域であるとともに、これらの外周側に形成される再生用制御データエリアＡ２の先頭の読み出しを円滑に行うための領域である。
【００３０】
光ディスクＤへの記録は、例えば、ユーザデータエリアＡ３、再生用制御データエリアＡ２、コントロールデータエリアＡ０、外周ガードゾーンＡ４の順番で行われる。なお、光ディスクＤを追記不可にするための処理は、例えば、次のとおりに行われる。ユーザデータの記録とともに追記不可にされる場合には、外周ガードゾーンＡ４に追記不可情報が入れられる。ユーザデータの記録とは別に追記不可にされる場合には、追記不可情報を含む外周ガードゾーンＡ４が最外周に形成される。
【００３１】
次に、図４に従って、本実施の形態に係る光ディスク記録再生装置１００の構成について説明する。図４において、光ディスクＤは、ターンテーブル１に載置される。このターンテーブル１はスピンドルモータ２によって回転駆動される。スピンドルモータ２はスピンドルドライバ３により駆動される。
【００３２】
光ディスクＤの下面には、光ピックアップ２０が配置されている。光ディスクＤに対するデータの書き込み及び読み出しは、この光ピックアップ２０から光ディスクＤにレーザビームを照射することによって行われる。具体的には、記録すべきデータ（以下、記録データと称す）に応じて変調された記録用のレーザビームが記録層Ｄｂに照射されることによって、記録データに対応するピット列が記録層Ｄｂに形成される。そして、このピット列に再生用のレーザビームが照射され、その反射率変化が検出されることで、光ディスクＤに書き込まれたデータが読み出される。
【００３３】
光ピックアップ２０には、対物レンズ２１と、この対物レンズ２１を通して光ディスクＤにレーザビームを照射するレーザダイオード２２と、光ディスクＤからの反射光を受ける光検出器２３とが内蔵されている。レーザダイオード２２は、レーザドライバ４によって駆動される。図１に示されるとおり、光ピックアップ２０からのレーザビームの照射により、光ディスクＤの記録層Ｄｂには、ビームスポットＳが形成される。
【００３４】
対物レンズ２１は、トラッキングアクチュエータ２４によって、光ディスクＤの半径方向に移動可能となっている。このトラッキングアクチュエータ２４は、トラッキングドライバ５によって駆動される。トラッキングアクチュエータ２４による対物レンズ２１の移動は、比較的小さなトラックジャンプ（微シーク）やトラッキングなど、ディスク面上でビームスポットＳを比較的小さく移動させる場合に用いられる。なお、トラッキングアクチュエータ２４による対物レンズ２１の移動範囲は、例えば、±２００μｍ程度である。
【００３５】
光ピックアップ２０全体は、スレッドモータ６によって、光ディスクＤの半径方向に移動可能となっている。スレッドモータ６はスレッドドライバ７により駆動される。このスレッドモータ６による光ピックアップ２０全体の移動は、比較的大きなトラックジャンプ（粗シーク）など、ディスク面上でビームスポットＳを比較的大きく移動させる場合に用いられる。
【００３６】
光ピックアップ２０の光検出器２３により検出された信号は、ＲＦ信号処理回路８に供給される。記録時および再生時において、ＲＦ信号処理回路８は、光検出器２３から供給された信号に基づいて、フォーカスエラー信号、トラッキングエラー信号、チルトエラー信号、およびウォブル信号を生成する。さらに、再生時においては、記録層Ｄｂに形成されたピット列に対応する再生信号を生成する。
【００３７】
ＲＦ信号処理回路８により生成されたフォーカスエラー信号、トラッキングエラー信号、およびチルトエラー信号は、それぞれ、フォーカス制御回路９、トラッキング制御回路１０、およびチルト制御回路１１に供給される。フォーカス制御回路９、トラッキング制御回路１０、およびチルト制御回路１１は、それぞれ、エラー信号に基づいて、フォーカスドライバ１２、トラッキングドライバ５、およびチルトドライバ１３を介して、フォーカスアクチュエータ（不図示）、トラッキングアクチュエータ２４、およびチルトアクチュエータ（不図示）を制御する。これにより、光ディスクＤの記録層Ｄｂに対するレーザ光の合焦状態を保持するためのフォーカスサーボループと、ビームスポットＳをトラックに追従させるためのトラッキングサーボループと、レーザ光の光軸をディスク面に対して垂直に保持するためのチルトサーボループとが形成される。
【００３８】
ＲＦ信号処理回路８により生成されたウォブル信号は、システム制御回路１４に供給される。システム制御回路１４は、このウォブル信号によってアドレスを認識することが可能となる。ここで、システム制御回路１４は、ホスト装置１８からの命令信号に基づいて、光ディスク記録再生装置１００全体を制御するＣＰＵ等である。
【００３９】
再生時において、ＲＦ信号処理回路８により生成された再生信号は、デジタル信号処理回路１５に供給される。デジタル信号処理回路１５は、供給された再生信号に対して所定の信号処理（例えば復調処理や誤り訂正処理）を施し、再生データおよび制御データを生成する。デジタル信号処理回路１５により生成された再生データは、ＲＡＭ等のメモリ１６に蓄えられた後に、インタフェース１７を介してコンピュータ等のホスト装置１８に出力される。一方、デジタル信号処理回路１５により生成された制御データは、システム制御回路１４に供給される。
【００４０】
記録時において、デジタル信号処理回路１５は、ホスト装置１８から記録データを受けると、この記録データをメモリ１６に一時蓄えながら、記録データに対して所定の処理（例えば変調処理や誤り訂正符号化処理）を施し、書き込み信号を生成する。この書き込み信号は、レーザドライバ４に供給される。レーザドライバ４は、この書き込み信号に応じてレーザダイオード２２を駆動する。これにより、記録データに対応するピット列が記録層Ｄｂに形成され、光ディスクＤに記録データが記録されることとなる。
【００４１】
ここで、光ピックアップ２０全体を移動させる機構（以下、ピックアップ送り機構と称す）の一例を示す。図５は、ピックアップ送り機構の構成の一例を示す図である。図５において、光ピックアップ２０は、ガイドシャフト３１により移動可能に支持されている。また、光ピックアップ２０の側部（図中左側部）には、ガイドシャフト３１と平行にラックギア３２が設けられている。スレッドモータ６（ここでは、ブラシモータ）の回転駆動力は、当該スレッドモータ６に取り付けられた駆動ギア３３、この駆動ギア３３と噛み合う減速ギア３４、この減速ギア３４と同軸に一体に設けられたピニオンギア３５に伝達される。このように伝達された回転駆動力は、ピニオンギア３５とラックギア３２との噛み合いによって、直線駆動力に変換される。これにより、光ピックアップ２０は、ガイドシャフト３１に沿って変位させられる。
【００４２】
このようなピックアップ送り機構において、減速ギア３４による減速比を大きくした場合、光ピックアップ２０の移動ピッチ（単位送り量）を小さくすることができ、滑らかに光ピックアップ２０を移動させることができるが、移動速度は小さくなる。一方、減速ギア３４による減速比を小さくした場合、移動速度を大きくすることができるが、移動ピッチは大きくなる。また、スレッドモータ６のトルク負荷が増大する。移動速度やトルク負荷を考慮すると、移動ピッチは８０μｍ程度であることが好ましい。この場合、ピックアップ送り機構によるビームスポットＳの移動精度、すなわち目標移動距離に対する実際の移動距離の誤差範囲は、±４０μｍ程度となる。
【００４３】
以下、本実施の形態に特徴的な事項について、詳しく説明する。
【００４４】
記録再生用のレーザとして、ＤＶＤ−Ｒ等では波長６５０ｎｍの赤色レーザが用いられているが、本実施の形態では、波長４００〜４１０ｎｍの青色レーザを採用することとする。したがって、図４におけるレーザダイオード２２は、波長４００〜４１０ｎｍの青色レーザダイオードである。
【００４５】
このようにレーザ波長を短くすることにより、記録層Ｄｂ上に形成されるビームスポットＳの直径（以下、スポット径と称す）を小さくすることが可能となる。ＤＶＤ−Ｒではスポット径が約０．９μｍであるところ、本実施の形態では、スポット径を約０．６μｍとする。このスポット径の縮小により、トラックピッチＴＰを狭くすることが可能となる。そこで、ＤＶＤ−ＲのトラックピッチＴＰが約０．７４μｍであるのに対し、本実施の形態では、トラックピッチＴＰを０．３μｍ以上かつ０．４μｍ以下の範囲で設定する。
【００４６】
ついで、図３に従って、本実施の形態における記録フォーマットについて説明する。なお、以下の説明において、「幅」とは、光ディスクＤの半径方向の幅を意味する。
【００４７】
本実施の形態では、各トラックへのデータの記録単位は６４ＫＢである。この場合、再生用制御データエリアＡ２には、ユーザデータ制御情報を記録するために、約５０〜１２５本のトラックが必要となる。そこで、本実施の形態では、再生用制御データエリアＡ２のトラック数を、５０本以上かつ１２５本以下の範囲で設定する。すなわち、光ディスクＤの半径方向について、再生用制御データエリアＡ２の幅を、（５０×ＴＰ）以上かつ（１２５×ＴＰ）以下の範囲で設定する。したがって、再生用制御データエリアＡ２の幅は、１５〜５０μｍとなる。なお、ユーザデータ制御情報の記録領域に余裕を持たせる観点より、再生用制御データエリアＡ２の幅を、（５０×ＴＰ）以上かつ（１５０×ＴＰ）以下の範囲で設定することも好適である。
【００４８】
内周ガードゾーンＡ１および外周ガードゾーンＡ４は、光ピックアップ２０のオーバーランを防止する観点より、また、これらの外周側に形成される再生用制御データエリアＡ２の先頭を円滑に読み出す観点より、トラック約１００〜１２５本分であることが好ましい。このトラック本数であれば、実験データに基づけば、シークしたときの残留精度（シーク誤差）から、９９．９％以上の確率で未記録エリアに入ることがない。そこで、本実施の形態では、内周ガードゾーンＡ１および外周ガードゾーンＡ４のトラック数を、１００本以上かつ１２５本以下の範囲で設定する。すなわち、光ディスクＤの半径方向について、内周ガードゾーンＡ１および外周ガードゾーンＡ４の幅を、（１００×ＴＰ）以上かつ（１２５×ＴＰ）以下の範囲で設定する。したがって、内周ガードゾーンＡ１および外周ガードゾーンＡ４の幅は、３０〜５０μｍとなる。なお、オーバーラン防止の確実化を図る観点より、内周ガードゾーンＡ１または外周ガードゾーンＡ４の幅を、（１００×ＴＰ）以上かつ（１５０×ＴＰ）以下の範囲で設定することも好適である。
【００４９】
ユーザデータエリアＡ３の幅は、再生システムにおけるトラックジャンプの位置精度、すなわち目標到達位置に対する実際の到達位置の誤差範囲に基づいて設定される。所望のトラックへのアクセスをスムーズに行うためには、ユーザデータエリアＡ３の幅は、トラックジャンプの位置精度に対応する長さだけ最低必要とされる。さらに、安定なトラックアクセスを実現するためには、トラックピッチＴＰの誤差やギアのがたつきなどを考慮し、さらにその２〜２．５倍程度の長さが必要とされる。
【００５０】
ピックアップ送り機構によるビームスポットＳの移動精度を±Ａ、ディスク偏芯量をＢ、光ディスクＤのチャッキング誤差をＣとした場合、トラックジャンプの位置精度は、±（Ａ＋Ｂ＋Ｃ）となる。そこで、本実施の形態では、ユーザデータエリアＡ３の幅を、記録されるユーザデータのデータ量に関わらず最小記録幅以上とし、この最小記録幅を｛（Ａ＋Ｂ＋Ｃ）×２｝以上かつ｛（Ａ＋Ｂ＋Ｃ）×２×２．５｝以下の範囲で設定することとする。
【００５１】
より具体的には、本実施の形態では、現在の技術で十分達成可能な値として、Ａ＝４０μｍ、Ｂ＝７０μｍ、Ｃ＝１００μｍを想定し、最小記録幅を４２０μｍ以上かつ１０５０μｍ以下の範囲で設定することとする。なお、記録効率向上の観点より、最小記録幅を｛（Ａ＋Ｂ＋Ｃ）×２｝以上かつ｛（Ａ＋Ｂ＋Ｃ）×２×２｝以下の範囲で、具体的には４２０μｍ以上かつ８４０μｍ以下の範囲で設定することも好適である。
【００５２】
再生用制御データエリアＡ２、内周ガードゾーンＡ１および外周ガードゾーンＡ４、ならびにユーザデータエリアＡ３の最小記録幅は、上記に従って、例えば次の設定例のように設定される。本設定例では、トラックピッチＴＰを０．４μｍ、再生用制御データエリアＡ２のトラック数を１２５本とし、内周ガードゾーンＡ１および外周ガードゾーンＡ４のトラック数を１２５本とする。すなわち、再生用制御データエリアＡ２、内周ガードゾーンＡ１、および外周ガードゾーンＡ４の幅をそれぞれ５０μｍとする。そして、最小記録幅を１０００μｍとする。ここで、例えば規格化において、これらの設定値に公差が設定されることは言うまでもない。なお、図３には、本設定例による数値が示されている。また、図３において、ユーザデータエリアＡ３の幅は最小記録幅となっている。
【００５３】
ところで、再生時において、光ディスクＤの保護層Ｄｃ上に塵や埃などのゴミが存在する場合、トレースすべきトラックをビームスポットＳが逸脱してしまう現象（トラッキングミス）が発生する。このトラッキングミスは、保護層Ｄｃの表面における再生ビームスポットＳｃ（図１参照）の直径が小さいほど発生しやすくなる。図６に、ゴミの大きさ（直径）と、トラッキングミスの発生率との関係を示す。図６において、実線は再生ビームスポットＳｃの直径が１ｍｍである場合を示し、破線は再生ビームスポットＳｃの直径が０．３ｍｍである場合を示す。図６から分かるように、ゴミの直径が再生ビームスポットＳｃの直径と同等以下である場合には、トラッキングミスは殆ど発生しない。しかし、ゴミの直径が再生ビームスポットＳｃの直径より大きくなってくると、トラッキングミスの発生率が急激に増大する。一般に、直径約１ｍｍ程度のゴミが付着した場合において、データを再生することができれば、光ディスクＤを収容するカートリッジは不要であるが、再生することができなければカートリッジが必要となる。そこで、本実施の形態では、カートリッジを不要とすべく、保護層Ｄｃの表面における再生ビームスポットＳｃの直径を略１ｍｍとする。なお、図１において、保護層Ｄｃの厚さは、約０．６ｍｍである。
【００５４】
上記説明した本実施の形態によれば、光ディスクＤのトラックピッチＴＰを０．３μｍ以上かつ０．４μｍ以下とし、外周ガードゾーンＡ４の幅を（１２５×ＴＰ）以下とするので、外周ガードゾーンＡ４の幅が現行のＤＶＤ−Ｒ等に比べて狭くなる。具体的には、ＤＶＤ−Ｒでは５００μｍであるのに対し、本実施の形態では５０μｍ以下となる。このように本実施の形態によれば、光ディスクＤの記録可能領域全体に対する、外周ガードゾーンＡ４の割合を小さくすることができ、ユーザにとっては無駄と言えるパディングデータ等の割合を削減することができる。これにより、光ディスクＤにユーザデータを効率的に記録することができ、空間的あるいは時間的な記録効率の向上を図ることができる。一方、外周ガードゾーンＡ４の幅を（１００×ＴＰ）以上とするので、オーバーラン防止等に必要なトラック数を確保することができ、再生専用装置でのプレイアビリティを確保することができる。
【００５５】
また、光ディスクＤのトラックピッチＴＰを０．３μｍ以上かつ０．４μｍ以下とし、再生用制御データエリアＡ２の幅を（１２５×ＴＰ）以下とするので、再生用制御データエリアＡ２の幅が現行のＤＶＤ−Ｒ等に比べて狭くなる。具体的には、ＤＶＤ−Ｒでは２４０μｍであるのに対し、本実施の形態では５０μｍ以下となる。このように、本実施の形態によれば、光ディスクＤの記録可能領域全体に対する、再生用制御データエリアＡ２の割合を小さくすることができ、ユーザに直接必要とされない制御情報の割合を削減することができる。これにより、光ディスクＤにユーザデータを効率的に記録することができ、空間的あるいは時間的な記録効率の向上を図ることができる。一方、再生用制御データエリアＡ２の幅を（５０×ＴＰ）以上とするので、ユーザデータ制御情報の記録に必要なトラック数を確保することができ、再生専用装置でのプレイアビリティを確保することができる。
【００５６】
また、光ディスクＤのトラックピッチＴＰを０．３μｍ以上かつ０．４μｍ以下とし、内周ガードゾーンＡ１の幅を（１００×ＴＰ）以上かつ（１２５×ＴＰ）以下とするので、外周ガードゾーンＡ４の場合と同様に、再生専用装置でのプレイアビリティを確保しつつ、空間的あるいは時間的な記録効率の向上を図ることができる。
【００５７】
また、ユーザデータエリアＡ３の最小記録幅を１０５０μｍ以下とするので、最小記録幅がＤＶＤ−Ｒの１６５０μｍに比べて狭くなる。このように、本実施の形態によれば、光ディスクＤの記録可能領域全体に対する、最小記録幅の割合を小さくすることができ、ユーザにとっては無駄と言えるパディングデータ等の割合を削減することができる。これにより、光ディスクＤにユーザデータを効率的に記録することができ、空間的あるいは時間的な記録効率の向上を図ることができる。一方、最小記録幅を４２０μｍ以上とするので、再生専用装置においてトラックアクセスをスムーズに行うために必要な記録幅を確保することができ、再生専用装置でのプレイアビリティを良好に確保することができる。
【００５８】
さらに、保護層Ｄｃの表面における再生ビームスポットＳｃの直径を略１ｍｍとするので、光ディスクＤに直径１ｍｍ程度のゴミが付着した場合であっても再生可能である。これにより、光ディスクＤを収容するカートリッジを不要とすることができる。
【００５９】
以上、本発明の実施の形態について説明したが、本発明が上記の実施の形態に限定されないことは言うまでもない。例えば、光ディスク記録再生装置１００の具体的な構成は、適宜に変更可能である。また、上記の実施の形態では、光ディスク記録再生装置１００を示したが、データの記録および再生は、物理的に別々の記録装置と再生装置とにより実行されてもよい。
【図面の簡単な説明】
【００６０】
【図１】実施の形態における光ディスクの層構成を示す断面図である。
【図２】実施の形態における光ディスクの記録層表面を拡大して示す斜視図である。
【図３】実施の形態における光ディスクのデータレイアウトを示す図である。
【図４】実施の形態に係る光ディスク記録再生装置の構成を示すブロック図である。
【図５】ピックアップ送り機構の構成の一例を示す図である。
【図６】ゴミの直径とトラッキングミスの発生率との関係を示す図である。
【図７】ＤＶＤ−Ｒにおけるデータレイアウトを示す図である。
【符号の説明】
【００６１】
Ｄ  光ディスク、Ｄａ  ディスク基板、Ｄｂ  記録層、Ｄｃ  保護層（カバー層）、Ｓ，Ｓｃ  ビームスポット、Ａ０  コントロールデータエリア、Ａ１  内周ガードゾーン、Ａ２  再生用制御データエリア、Ａ３  ユーザデータエリア、Ａ４  外周ガードゾーン、１００  光ディスク記録再生装置。
【図１】
2005346818.tif 000003
【図２】
2005346818.tif 000004
【図３】
2005346818.tif 000005
【図４】
2005346818.tif 000006
【図５】
2005346818.tif 000007
【図６】
2005346818.tif 000008
【図７】
2005346818.tif 000009